(57)【要約】  【課題】ゲージホイール体の上下位置の調節作業が容易なゲージホイール装置を提供する。  【解決手段】ゲージホイール装置８は、アーム被挿通部16にスライド可能に挿通するアーム部18およびこのアーム部18の下端側に設けたホイール部20を有する上下位置調節可能なゲージホイール体13を備える。ゲージホイール体13のアーム部18の上端側には、下側受け部26と対向して位置する上側受け体25を設ける。上側受け体25および下側受け部26間には、ゲージホイール体13を上方に向けて付勢するコイルばね27を配設する。コイルばね27の中心線Ａは、アーム部18の中心線Ｂからゲージホイール体13の重心Ｇ側にずれた位置に位置する。  【選択図】図４
2006000012.tif 000002
【特許請求の範囲】
【請求項１】
農作業機本体のアーム被挿通部に上下方向にスライド可能に挿通される縦長状のアーム部およびこのアーム部の下端側に設けられたホイール部を有する上下位置調節可能なゲージホイール体と、
このゲージホイール体の前記アーム部の上端側に設けられ、前記農作業機本体の下側受け部と対向して位置する上側受け体と、
前記下側受け部にて支持された状態で前記上側受け体を上方に向けて付勢する付勢体とを備え、
前記付勢体の上下方向の中心線が、前記ゲージホイール体の前記アーム部の上下方向の中心線から前記ゲージホイール体の重心側にずれた位置に配置されている
ことを特徴とするゲージホイール装置。
【請求項２】
付勢体の上下方向の中心線が、平面視でゲージホイール体のアーム部の上下方向の中心線の後方近傍位置とゲージホイール体の重心後方近傍位置との間の位置に配置されている
ことを特徴とする請求項１記載のゲージホイール装置。
【請求項３】
付勢体は、略円筒状のコイルばねである
ことを特徴とする請求項１または２記載のゲージホイール装置。
【発明の詳細な説明】
【技術分野】
【０００１】
本発明は、ゲージホイール体の上下位置の調節作業が容易なゲージホイール装置に関するものである。
【背景技術】
【０００２】
従来、例えば農作業機本体のアーム被挿通部に上下方向にスライド可能に挿通される縦長状のアーム部およびこのアーム部の下端側に設けられたホイール部を有する上下位置調節可能なゲージホイール体と、このゲージホイール体のアーム部の上端部およびアーム被挿通部の上端部間に介装されゲージホイール体を上方に向けて付勢する略円筒状のコイルばねとを備えたゲージホイール装置が知られている（例えば、特許文献１参照）。
【特許文献１】特開平１１−４号公報
【発明の開示】
【発明が解決しようとする課題】
【０００３】
しかしながら、上記従来のゲージホイール装置では、例えばゲージホイール体の上下位置調節の際にコイルばねの付勢力によってゲージホイール体のアーム部がアーム被挿通部に対してこじられることがあり、ゲージホイール体の上下位置の調節作業に手間取るおそれがある。
【０００４】
本発明は、このような点に鑑みなされたもので、ゲージホイール体の上下位置の調節作業が容易にできるゲージホイール装置を提供することを目的とする。
【課題を解決するための手段】
【０００５】
請求項１記載のゲージホイール装置は、農作業機本体のアーム被挿通部に上下方向にスライド可能に挿通される縦長状のアーム部およびこのアーム部の下端側に設けられたホイール部を有する上下位置調節可能なゲージホイール体と、このゲージホイール体の前記アーム部の上端側に設けられ、前記農作業機本体の下側受け部と対向して位置する上側受け体と、前記下側受け部にて支持された状態で前記上側受け体を上方に向けて付勢する付勢体とを備え、前記付勢体の上下方向の中心線が、前記ゲージホイール体の前記アーム部の上下方向の中心線から前記ゲージホイール体の重心側にずれた位置に配置されているものである。
【０００６】
そして、農作業機本体のアーム被挿通部に対してゲージホイール体のアーム部をスムーズにスライドさせることが可能であり、ゲージホイール体の上下位置の調節作業が容易である。
【０００７】
請求項２記載のゲージホイール装置は、請求項１記載のゲージホイール装置において、付勢体の上下方向の中心線が、平面視でゲージホイール体のアーム部の上下方向の中心線の後方近傍位置とゲージホイール体の重心後方近傍位置との間の位置に配置されているものである。
【０００８】
そして、付勢体の上下方向の中心線が平面視でゲージホイール体のアーム部の上下方向の中心線の後方近傍位置とゲージホイール体の重心後方近傍位置との間の位置に配置されているため、ゲージホイール体の上下位置の調節作業の際にゲージホイール体のアーム部がアーム被挿通部に対してスムーズにスライドする。
【０００９】
請求項３記載のゲージホイール装置は、請求項１または２記載のゲージホイール装置において、付勢体は、略円筒状のコイルばねであるものである。
【００１０】
そして、付勢体である略円筒状のコイルばねの付勢力を利用してゲージホイール体を軽く持ち上げることが可能である。
【発明の効果】
【００１１】
本発明によれば、農作業機本体のアーム被挿通部に対してゲージホイール体のアーム部をスムーズにスライドさせることができるため、ゲージホイール体の上下位置の調節作業が容易にできる。
【発明を実施するための最良の形態】
【００１２】
本発明の一実施の形態を図面を参照して説明する。
【００１３】
図１において、１は農作業機で、この農作業機１は、走行車であるトラクタ（図示せず）に連結された状態でトラクタの走行により圃場を前方に移動しながら耕耘整地作業をするロータリ作業機である。
【００１４】
農作業機１は、トラクタの後部の３点リンク部に連結される農作業機本体２を備え、この農作業機本体２は左右方向中央に入力軸保持部（ギアボックス）３を有し、この入力軸保持部３にはトラクタ側からの動力を入力する入力軸４が回転可能に設けられている。この入力軸４はトラクタのＰＴＯ軸に伝動シャフト等を介して連結される。
【００１５】
そして、農作業機本体２には、入力軸４側からの動力を伝動手段（図示せず）を介して受けて所定方向へ回転しながら耕耘作業をするロータリ式の耕耘手段６およびこの耕耘手段６の後方位置で整地作業をする整地手段７が設けられている。
【００１６】
また、農作業機本体２の前部には、耕耘手段６の耕耘深さを調節するための左右一対の耕深調節手段であるゲージホイール装置８，８が設けられている。
【００１７】
ここで、両ゲージホイール装置８は、左右対称のもので、図２ないし図４にも示すように、それぞれ、ストッパピン11を差し込むピン用孔12の選択により農作業機本体２に対して上下位置調節可能なゲージホイール体13を備えている。
【００１８】
ゲージホイール体13は、比較的重いもので、農作業機本体２が前部に有した左右方向長手状のパイプ状のフレーム部14から前方に向って突出した突出部15に形成された上下面開口状で略４角筒状のアーム被挿通部16に上下方向にスライド可能に挿通された縦長状のアーム部18を有している。この上下方向長手状のアーム部18は、略４角筒状のアーム被挿通部16に対応した断面略４角形状のもので、このアーム部18にはストッパピン11が差し込まれる複数のピン用孔12がアーム部18の長手方向に並んだ状態で形成されている。なお、アーム被挿通部16にもストッパピン11が差し込まれるピン用孔17が形成されている。
【００１９】
そして、ゲージホイール体13のアーム部18の下端部からは左右方向の軸部19が側方に向って突出し、この軸部19にてホイール部20が左右方向の回転中心軸線を中心として回転可能に軸支されている。また、アーム部18の下端部近傍にはホイール部20の略円筒面状の外周面に付着した付着物を掻き落とすスクレーパ21が設けられている。
【００２０】
また、ゲージホイール体13のアーム部18の上端部からはゲージホイール体13の上下位置の調節作業の際に把持される左右方向の棒状のハンドル部23が側方に向って突出している。
【００２１】
さらに、ゲージホイール体13のアーム部18の上端部からは断面Ｌ字状の枠部24が後方に向って突出し、この枠部24に下方に向って開口した下面開口状の略円筒状の上側受け体（上ばね受け）25が固設されている。
【００２２】
そして、このアーム部18の上端部に枠部24を介して設けられた上側受け体25は、農作業機本体２の前方突出状の突出部15の上面に立設された略円柱状の下側受け部（下ばね受け）26と上下に対向して位置し、これら上側受け体25および下側受け部26間にはゲージホイール体13の上下位置の調節作業の際にゲージホイール体13を容易に持ち上げれるよう上側受け体25を上方に向けて付勢する弾性変形可能な略円筒状の付勢体であるコイルばね（サポートスプリング）27が介装されている。
【００２３】
すなわち、ゲージホイール装置８は、農作業機本体２の下側受け部26にて支持された状態でゲージホイール体13を持ち上げるように上側受け体25を上方に向けて付勢する略円筒状のコイルばね27を備え、この軸方向が上下方向に一致しアーム部18と平行状に位置する略円筒状のコイルばね27の上部が上側受け体25の内周面側に嵌合されてこのコイルばね27の上端が上側受け体25の上板部下面に当接し、コイルばね27の下部が農作業機本体２の下側受け部26の外周面側に嵌合されてこのコイルばね27の下端が農作業機本体２の突出部15の上面に当接している。
【００２４】
なお、この上側受け体25および下側受け部26間にわたって配設されたコイルばね27のばね圧は、例えば図２に示すようにアーム部18の上下方向略中央部がアーム被挿通部16に挿通された状態でバランスがとれるようになっている。そして、図２に示す状態からゲージホイール体13を農作業機本体２のアーム被挿通部16に対して下降させる場合には、ストッパピン11を外してから、コイルばね27に付勢力に抗してゲージホイール体13を押し下げ、コイルばね27を所望量圧縮させる。一方、ゲージホイール体13をアーム被挿通部16に対して上昇させる場合は、コイルばね27の付勢力を利用しつつゲージホイール体13を軽く持ち上げることが可能である。
【００２５】
そして、図４から明らかなように、コイルばね27の上下方向の中心線（コイルばね27の軸芯を通る線）Ａが、平面視で、ゲージホイール体13のアーム部18の上下方向の中心線Ｂの後方位置からゲージホイール体13の重心Ｇ側にずれた位置に配置されている。すなわち、コイルばね27の上下方向の中心線Ａが、平面視でゲージホイール体13のアーム部18の上下方向の中心線Ｂの後方近傍位置とゲージホイール体13の重心Ｇの後方近傍位置との間の位置に配置されている。
【００２６】
なお、農作業機本体２のアーム被挿通部16の側面にはコ字枠31が固着され、このコ字枠31にストッパピン11が押しばね32にてアーム被挿通部16側に付勢された状態で装着されている。
【００２７】
また一方、耕耘手段６は、左右方向の耕耘軸体およびこの耕耘軸体から放射状に突出した耕耘爪等にて構成されている。また、整地手段７は、農作業機本体２の耕耘カバー部の後端部に上下回動可能に設けられた整地板等にて構成されている。
【００２８】
次に、上記農作業機１の作用等について説明する。
【００２９】
農作業機１をトラクタに連結してトラクタの走行により農作業機１を前方に移動させると、ゲージホイール装置８にて耕耘深さが設定された耕耘手段６にてその耕耘深さで耕耘作業が行われ、耕耘手段６の後方位置では整地手段７にて整地作業が行われる。
【００３０】
ここで、例えば圃場の状態等に応じて耕耘手段６の耕耘深さを変更する場合は、ストッパピン11を外してからハンドル部23を把持してゲージホイール体13の上昇または下降させ、このゲージホイール体13を所望位置に位置させた後、ストッパピン11をピン用孔12，17に差し込み、このストッパピン11にてそのゲージホイール体13を所望位置に位置決め固定する。
【００３１】
そして、このゲージホイール装置８によれば、ゲージホイール体13の上下位置の調節作業の際においてコイルばね27の付勢力でゲージホイール体13のアーム部18がアーム被挿通部16に対してこじられるようなことが起きにくくなり、従来に比べてアーム被挿通部16に対してアーム部18をスムーズにスライドできるため、ゲージホイール体13の上下位置の調節作業が容易にできる。
【００３２】
なお、上記実施の形態では、コイルばね27の中心線Ａをアーム部18の中心線Ｂの後方近傍位置とゲージホイール体13の重心Ｇの後方近傍位置との間の位置に配置してその重心Ｇに近付けた構成について説明したが、例えば図示しないが、コイルばね27の上下方向の中心線Ａがゲージホイール体13の重心Ｇを通るようにコイルばね27の中心線Ａをゲージホイール体13のアーム部18の中心線Ｂからゲージホイール体13の重心Ｇ側にずらした構成が最も好ましい。
【図面の簡単な説明】
【００３３】
【図１】本発明の一実施の形態に係るゲージホイール装置を前側に備えた農作業機の側面図である。
【図２】同上ゲージホイール装置の側面図である。
【図３】同上ゲージホイール装置の正面図である。
【図４】同上ゲージホイール装置の平面図である。
【符号の説明】
【００３４】
２    農作業機本体
８    ゲージホイール装置
13    ゲージホイール体
16    アーム被挿通部
18    アーム部
20    ホイール部
25    上側受け体
26    下側受け部
27    付勢体であるコイルばね
Ａ    付勢体の上下方向の中心線
Ｂ    アーム部の上下方向の中心線
Ｇ    ゲージホイール体の重心
【図１】
2006000012.tif 000003
【図２】
2006000012.tif 000004
【図３】
2006000012.tif 000005
【図４】
2006000012.tif 000006